【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
ネットワークに接続可能な画像形成装置であって、
所定の指示を受け付けたことに従って、前記ネットワークへの接続を禁止状態にする処理と、携帯端末と特定のダイレクト無線通信をするための接続情報を表示部に表示させる処理と、を実行する実行手段と、
前記特定のダイレクト無線通信を介して、前記画像形成装置の機器情報を前記携帯端末に送信する送信手段と、
を備えることを特徴とする画像形成装置。
【請求項２】
前記所定の指示は、所定のモードへの移行指示であることを特徴とする請求項１に記載の画像形成装置。
【請求項３】
前記所定のモードは、前記画像形成装置の機器情報を取得するためのモードであることを特徴とする請求項２に記載の画像形成装置。
【請求項４】
前記禁止状態は、無線ＬＡＮインターフェースが外部のアクセスポイントにアクセスすることを禁止する状態であることを特徴とする請求項１乃至３のいずれか１項に記載の画像形成装置。
【請求項５】
前記禁止状態は、有線ＬＡＮインターフェースの利用を禁止する状態であることを特徴とする請求項１乃至４のいずれか１項に記載の画像形成装置。
【請求項６】
前記禁止状態にする処理は、前記画像形成装置を再起動する工程を含むことを特徴とする請求項１乃至５のいずれか１項に記載の画像形成装置。
【請求項７】
前記表示させる処理は、前記特定のダイレクト無線通信を開始させるために、前記携帯端末と前記画像形成装置の間の近接操作をユーザに促すための画面を表示させる処理を含み、
前記接続情報は、ＳＳＩＤ（Ｓｅｒｖｉｃｅ  Ｓｅｔ  Ｉｄｅｔｉｆｉｅｒ）と、前記機器情報が取得可能であることを示す情報の少なくともいずれかを含む、
ことを特徴とする請求項１乃至６のいずれか１項に記載の画像形成装置。
【請求項８】
前記近接操作による通信は、ＮＦＣ、Ｂｌｕｅｔｏｏｔｈの少なくともいずれかを用いた無線通信であることを特徴とする請求項７に記載の画像形成装置。
【請求項９】
前記表示させる処理は、二次元バーコードを含む画面を表示させる処理を含み、
前記接続情報は、ＳＳＩＤ（Ｓｅｒｖｉｃｅ  Ｓｅｔ  Ｉｄｅｔｉｆｉｅｒ）と、前記機器情報が取得可能であることを示す情報の少なくともいずれかを含む、
ことを特徴とする請求項１乃至８のいずれか１項に記載の画像形成装置。
【請求項１０】
ネットワークに接続可能な画像形成装置と、携帯端末とを含む通信システムであって、
前記画像形成装置は、
所定の指示を受け付けたことに従って、前記ネットワークへの接続を禁止状態にする処理と、携帯端末と特定のダイレクト無線通信をするための接続情報を表示部に表示させる処理と、を実行する実行手段と、
前記特定のダイレクト無線通信を介して、前記画像形成装置の機器情報を前記携帯端末に送信する送信手段と、
を備えることを特徴とする通信システム。
【請求項１１】
前記所定の指示は、所定のモードへの移行指示であることを特徴とする請求項１０に記載の通信システム。
【請求項１２】
前記所定のモードは、前記画像形成装置の機器情報を取得するためのモードであることを特徴とする請求項１１に記載の通信システム。
【請求項１３】
前記禁止状態は、無線ＬＡＮインターフェースが外部のアクセスポイントにアクセスすることを禁止する状態であることを特徴とする請求項１０乃至１２のいずれか１項に記載の通信システム。
【請求項１４】
前記禁止状態は、有線ＬＡＮインターフェースの利用を禁止する状態であることを特徴とする請求項１０乃至１３のいずれか１項に記載の通信システム。
【請求項１５】
前記禁止状態にする処理は、前記画像形成装置を再起動する工程を含むことを特徴とする請求項１０乃至１４のいずれか１項に記載の通信システム。
【請求項１６】
前記表示させる処理は、前記特定のダイレクト無線通信を開始させるために、前記携帯端末と前記画像形成装置の間の近接操作をユーザに促すための画面を表示させる処理を含み、
前記接続情報は、ＳＳＩＤ（Ｓｅｒｖｉｃｅ  Ｓｅｔ  Ｉｄｅｔｉｆｉｅｒ）と、前記機器情報が取得可能であることを示す情報の少なくともいずれかを含む、
ことを特徴とする請求項１０乃至１５のいずれか１項に記載の通信システム。
【請求項１７】
前記近接操作による通信は、ＮＦＣ、Ｂｌｕｅｔｏｏｔｈの少なくともいずれかを用いた無線通信であることを特徴とする請求項１６に記載の通信システム。
【請求項１８】
前記表示させる処理は、二次元バーコードを含む画面を表示させる処理を含み、
前記接続情報は、ＳＳＩＤ（Ｓｅｒｖｉｃｅ  Ｓｅｔ  Ｉｄｅｔｉｆｉｅｒ）と、前記機器情報が取得可能であることを示す情報の少なくともいずれかを含む、
ことを特徴とする請求項１０乃至１７のいずれか１項に記載の通信システム。
【請求項１９】
ネットワークに接続可能な画像形成装置において実行される通信方法であって、
所定の指示を受け付けたことに従って、前記ネットワークへの接続を禁止状態にする処理と、携帯端末と特定のダイレクト無線通信をするための接続情報を表示部に表示させる処理と、を実行する実行工程と、
前記特定のダイレクト無線通信を介して、前記画像形成装置の機器情報を前記携帯端末に送信する送信工程と、
を有することを特徴とする通信方法。
【請求項２０】
前記所定の指示は、所定のモードへの移行指示であることを特徴とする請求項１９に記載の通信方法。
【請求項２１】
前記所定のモードは、前記画像形成装置の機器情報を取得するためのモードであることを特徴とする請求項２０に記載の通信方法。
【請求項２２】
前記禁止状態は、無線ＬＡＮインターフェースが外部のアクセスポイントにアクセスすることを禁止する状態であることを特徴とする請求項１９乃至２１のいずれか１項に記載の通信方法。
【請求項２３】
前記禁止状態は、有線ＬＡＮインターフェースの利用を禁止する状態であることを特徴とする請求項１９乃至２２のいずれか１項に記載の通信方法。
【請求項２４】
前記禁止状態にする処理は、前記画像形成装置を再起動する工程を含むことを特徴とする請求項１９乃至２３のいずれか１項に記載の通信方法。
【請求項２５】
前記表示させる処理は、前記特定のダイレクト無線通信を開始させるために、前記携帯端末と前記画像形成装置の間の近接操作をユーザに促すための画面を表示させる処理を含み、
前記接続情報は、ＳＳＩＤ（Ｓｅｒｖｉｃｅ  Ｓｅｔ  Ｉｄｅｔｉｆｉｅｒ）と、前記機器情報が取得可能であることを示す情報の少なくともいずれかを含む、
ことを特徴とする請求項１９乃至２４のいずれか１項に記載の通信方法。
【請求項２６】
前記近接操作による通信は、ＮＦＣ、Ｂｌｕｅｔｏｏｔｈの少なくともいずれかを用いた無線通信であることを特徴とする請求項２５に記載の通信方法。
【請求項２７】
前記表示させる処理は、二次元バーコードを含む画面を表示させる処理を含み、
前記接続情報は、ＳＳＩＤ（Ｓｅｒｖｉｃｅ  Ｓｅｔ  Ｉｄｅｔｉｆｉｅｒ）と、前記機器情報が取得可能であることを示す情報の少なくともいずれかを含む、
ことを特徴とする請求項１９乃至２６のいずれか１項に記載の通信方法。
【請求項２８】
請求項１乃至９のいずれか１項に記載の画像形成装置の各手段としてコンピュータを機能させるためのプログラム。
【手続補正２】
【補正対象書類名】明細書
【補正対象項目名】０００７
【補正方法】変更
【補正の内容】
【０００７】
上記課題を解決するため、本発明に係る画像形成装置は、ネットワークに接続可能な画像形成装置であって、所定の指示を受け付けたことに従って、前記ネットワークへの接続を禁止状態にする処理と、携帯端末と特定のダイレクト無線通信をするための接続情報を表示部に表示させる処理と、を実行する実行手段と、前記特定のダイレクト無線通信を介して、前記画像形成装置の機器情報を前記携帯端末に送信する送信手段とを備えることを特徴とする。